(57)【特許請求の範囲】
【請求項１】
ボールをヒットするためのフェースプレート部と、ソール部と、シャフトを連結するためのホゼル部とを有するアイアン型のゴルフクラブヘッドであって、
該フェースプレート部の背面に粘弾性体が付着されると共に、該粘弾性体に重なる銘板が設けられているゴルフクラブヘッドにおいて、
該銘板は、該粘弾性体の周囲に張り出す張出部を有しており、該張出部が前記フェースプレート部の背面に付着されているゴルフクラブヘッドであって、
該粘弾性体は該フェースプレート部のセンター部の背面に配置されており、
該銘板には、該粘弾性体を収容した凹所が設けられており、
該張出部は該凹所の全周にわたって設けられており、
該粘弾性体のフェースプレート部側の面は平坦面となっており、該粘弾性体のフェースプレート部と反対側の面の外周部に凸条が周設されており、
該銘板の該凹所には、該粘弾性体の凸条が嵌合した凹条が周設されていることを特徴とするゴルフクラブヘッド。
【請求項２】
請求項１において、前記粘弾性体のフェースプレート部と反対側の面に、外周側から凸条と凹条とが交互に同心状に周設されており、
前記銘板の前記凹所には、該粘弾性体の凸条が嵌合した凹条と、該粘弾性体の凹条が嵌合した凸条とが交互に同心状に配列されていることを特徴とするゴルフクラブヘッド。
【請求項３】
請求項１又は２において、前記張出部は、前記凹所からヒール側に延在するヒール側張出部と、該凹所からトウ側に延在するトウ側張出部とを有しており、
該粘弾性体及び張出部は、接着剤または粘着剤によってフェースプレート部背面に貼着されていることを特徴とするゴルフクラブヘッド。
【請求項４】
請求項１ないし３のいずれか１項において、前記銘板は、厚さ０．２〜０．４ｍｍの金属からなることを特徴とするゴルフクラブヘッド。
【請求項５】
請求項４において、前記銘板は、電鋳法により製造したものであることを特徴とするゴルフクラブヘッド。
【請求項６】
請求項４において、前記銘板は、プレス成形により製造したものであることを特徴とするゴルフクラブヘッド。
【請求項７】
請求項１ないし６のいずれか１項において、前記粘弾性体の平均厚みが０．５〜２．５ｍｍであることを特徴とするゴルフクラブヘッド。
【請求項８】
請求項１ないし７のいずれか１項において、前記粘弾性体のフェースプレート部と反対側の面の中心部に円形凹部が設けられており、前記銘板の前記凹所の中心部に、該円形凹部が嵌合した凸部が設けられていることを特徴とするゴルフクラブヘッド。
【発明の詳細な説明】
【技術分野】
【０００１】
本発明はアイアン型のゴルフクラブヘッドに係り、特にフェースプレート部の背面に粘弾性体が付着配置されたゴルフクラブヘッドに関する。
【背景技術】
【０００２】
アイアン型ゴルフクラブヘッドは、ボールをヒットするためのフェースプレート部と、ソール部及びホゼル部とを少なくとも備えている。このホゼル部にシャフトを差し込んで固着することによりゴルフクラブとする。
【０００３】
このゴルフクラブでボールをヒットしたときにゴルフクラブヘッドに生じる衝撃や振動を吸収するために、ゴルフクラブヘッドにゴム等の粘弾性材料を付着させたり、ゴルフクラブヘッドの空所内に内蔵させたりすることがある。
【０００４】
特表平６−５１０６８９（特許２６６１７９６）には、フェースプレート部の背面に長径４５ｍｍ、短径１８ｍｍ、厚さ１ｍｍの楕円形のブチルゴム等よりなる粘弾性体を接着すると共に、この粘弾性体の上に厚さ１ｍｍのアルミニウム亜鉛マグネシウム合金製銘板を接着することが記載されている。
【先行技術文献】
【特許文献】
【０００５】
【特許文献１】特表平６−５１０６８９
【発明の概要】
【発明が解決しようとする課題】
【０００６】
上記特許文献１では、そのＦｉｇ．４，５に見られる通り、粘弾性板と硬質板とは同一の大きさとなっている。このため、粘弾性板の端面は大気に露呈しており、水分や紫外線などによって粘弾性板が劣化したり、粘弾性板がフェースプレート部背面から剥れ易くなる。また、この粘弾性板は、フェースプレート部側のみから伝播する振動を吸収するため、振動吸収作用が不足することがある。
【０００７】
本発明は、フェースプレート部に対する粘弾性板の付着耐久性が良好であると共に、振動吸収効果に優れたゴルフクラブヘッドを提供することを目的とする。
【課題を解決するための手段】
【０００８】
本発明のゴルフクラブヘッドは、ボールをヒットするためのフェースプレート部と、ソール部と、シャフトを連結するためのホゼル部とを有するアイアン型のゴルフクラブヘッドであって、該フェースプレート部の背面に粘弾性体が付着されると共に、該粘弾性体に重なる銘板が設けられているゴルフクラブヘッドにおいて、該銘板は、該粘弾性体の周囲に張り出す張出部を有しており、該張出部が前記フェースプレート部の背面に付着されているゴルフクラブヘッドであって、該粘弾性体は該フェースプレート部のセンター部の背面に配置されており、該銘板には、該粘弾性体を収容した凹所が設けられており、該張出部は該凹所の全周にわたって設けられており、該粘弾性体のフェースプレート部側の面は平坦面となっており、該粘弾性体のフェースプレート部と反対側の面の外周部に凸条が周設されており、該銘板の該凹所には、該粘弾性体の凸条が嵌合した凹条が周設されていることを特徴とするものである。
【００１１】
張出部は、該凹所からヒール側に延在するヒール側張出部と、該凹所からトウ側に延在するトウ側張出部とを有しており、該粘弾性体及び張出部が、接着剤または粘着剤によってフェースプレート部の背面に貼着されていることが好ましい。
【００１２】
前記銘板は、厚さ０．２〜０．４ｍｍの金属からなることが好ましい。
【００１３】
また、この銘板は、電鋳法、又はプレス成形により製造したものであることが好ましい。
【発明の効果】
【００１５】
本発明のゴルフクラブヘッドにあっては、フェースプレート部の背面に粘弾性体が付着され、さらにこの粘弾性体を覆うように銘板が設けられている。この銘板は、粘弾性体の周囲に張り出す張出部を備えており、この張出部がフェースプレート部の背面に付着されている。従って、粘弾性体はこの銘板によって密閉状に覆われており、大気に露呈していない。このため、粘弾性体に水分が掛かったり、紫外線が直射することがなく、粘弾性体の耐久性及び粘弾性体のフェースプレート部背面への付着耐久性が良好である。
【００１６】
また、本発明では、銘板の張出部がフェースプレート部に付着されているので、ボールヒット時（ショット時）にフェースプレート部の周縁部に生じた振動の一部が銘板を介して粘弾性体に伝播して吸収されるようになる。このため、本発明のゴルフクラブヘッドは、振動吸収効果に優れる。
【００１７】
本発明では、銘板に設けた凹所に粘弾性体を収容しているので、粘弾性体をしっかりと保持することができる。
【００１８】
本発明では、張出部を凹所の全周にわたって設けているので、粘弾性体をフェースプレート部に対し極めてしっかりと保持させることができる。
【００１９】
張出部の一部を構成するヒール側張出部及びトウ側張出部をヒール側及びトウ側に延在させることにより、フェースプレート部のヒール側又はトウ側でボールをヒットした場合の振動が粘弾性体に伝播し易く、振動吸収効果が高い。
【００２０】
粘弾性体のフェースプレート部と反対側の面に、外周側から凸条と凹条とを交互に同心状に周設し、銘板の凹所には、粘弾性体の凸条が嵌合した凹条と、粘弾性体の凹条が嵌合した凸条とを同心状に配列した場合、種々の周波数の振動を吸収することができる。本発明では、粘弾性体の外周部に凸条を周設したことにより、銘板を介して粘弾性体周囲から伝播してくる振動が粘弾性体の外周部の凸条で効果的に吸収される。
【図面の簡単な説明】
【００２１】
【図１】実施の形態に係るゴルフクラブヘッドの後面側のソール側からの斜視図である。
【図２】図１のゴルフクラブヘッドの分解斜視図である。
【図３】図１のIII−III線に沿う断面図である。
【図４】図１のゴルフクラブヘッドの分解断面図である。
【図５】（ａ）図は粘弾性体の後面図、（ｂ）図は（ａ）図のＢ−Ｂ線断面図である。
【図６】図１のVI−VI線に沿う断面図である。
【発明を実施するための形態】
【００２２】
以下、第１図〜第６図を参照して実施の形態に係るゴルフクラブヘッドについて説明する。
【００２３】
ゴルフクラブヘッド１は、シャフト２の先端に取り付けられるものであり、ゴルフクラブヘッド本体１０と、このゴルフクラブヘッド本体１０のフェースプレート部１１の背面に付着された粘弾性体２０と、該粘弾性体に被さり、該フェースプレート部１１の背面に付着された銘板３０とを備えている。
【００２４】
ゴルフクラブヘッド本体１０は、フェースプレート部１１と、ホゼル部１２と、ソール部１３とを有している。フェースプレート部１１の後面側はキャビティ部１４となっている。キャビティ部１４は、トウ側からヒール側（プレーヤー側）にまで延在しており、ソール部１３と、トウ側凸部１５、トップ側凸部１６及びヒール側凸部１７とによって周囲が囲まれている。これらの凸部１５〜１７は、フェースプレート部１１の周縁から後方に起立している。フェースプレート部１１の背面は、凸部１５〜１７及びソール部１３の近傍を除いて平坦面となっている。
【００２５】
この実施の形態では、ソール部１３のトウ側及びヒール側の底面（ソール面）に凹穴４０，４１（第２図）が設けられており、各凹穴４０，４１の奥部にゴム又はエラストマーよりなる振動吸収材４２，４３が充填されている。凹穴４０，４１の入口部は、各凹穴４０，４１の奥部よりも開口面積が大きい拡大部となっており、この拡大部にタングステン、タングステン合金など比重が１０以上、より好ましくは、１２以上の高比重金属材よりなるウェイト材４４，４５が嵌着されている。このウェイト材４４，４５は、レーザー溶接、カシメなどによりゴルフクラブヘッド本体１０に固定されている。
【００２６】
振動吸収材４２，４３の材料としては、天然ゴムなどに臭化ブチルゴムやクロロブチルゴムを配合したゴム、ＮＢＲ（アクリロニトリルブタジエンゴム）、シリコンゴム、スチレン系エラストマー、オレフィン系エラストマー、ウレタン系エラストマー、エステル系エラストマー、アミド系エラストマーなどが例示されるが、中でもＮＢＲが好適である。
【００２７】
粘弾性体２０は、第５図に示す通り、略々円形の薄板状部材である。この粘弾性体２０の材料は粘弾性を有するゴム又はエラストマーが好適である。
【００２８】
このゴム又はエラストマーの好適な材料としては、上記振動吸収材４２，４３と同様の材料が例示され、中でもＮＢＲが好適である。
【００２９】
粘弾性体２０のフェースプレート部１１側の面は平坦面となっている。第５図の通り、粘弾性体２０のフェースプレート部１１と反対側の面（後面）には、外周側から凸条２１、凹条２２、凸条２３、凹条２４、凸条２５、凹条２６、凸条２７が同心状に周設されており、中心部には円形凹部２８が設けられている。
【００３０】
粘弾性体２０の平均厚みは０．５〜２．５ｍｍ特に０．８〜１．５ｍｍ程度が好適である。
【００３１】
粘弾性体２０の上下長さは１０〜３０ｍｍ特に１８〜２８ｍｍ程度が好適であり、最大左右幅は１５〜３５ｍｍ特に２０〜３０ｍｍ程度が好適である。
【００３２】
銘板３０は、フェースプレート部１１の背面のトウ側からヒール側まで、またトップ側からソール側まで広がる大きさを有している。この銘板３０のトウ・ヒール方向の中間部には、粘弾性体２０がぴったりと嵌合する形状及び大きさの凹所が設けられている。
【００３３】
この凹所は、第４図の通り、凸条２１が嵌合する凹条３１、凹条２２が嵌合する凸条３２、凸条２３が嵌合する凹条３３、凹条２４が嵌合する凸条３４、凸条２５が嵌合する凹条３５、凹条２６が嵌合する凸条３６、及び凸条２７が嵌合する凹条３７が同心状に配列されたものであり、これらの中心部に凹部２８が嵌合する凸部３８が存在している。
【００３４】
凹所に粘弾性体２０が嵌合した状態において、粘弾性体２０は銘板３０の凹所周囲面と面一状となる。
【００３５】
銘板３０は、第２図の通り、この凹所を取り巻くと共に、トウ側、及びヒール側へ長く張り出した張出部３９を有している。トウ側張出部３９ｔは、ゴルフクラブヘッド本体１０のトウ側凸部１５の近傍まで延在しており、ヒール側張出部３９ｈはヒール側凸部１７の近傍まで延在している。張出部３９のフェースプレート部１１側の面は面一状である。図示は省略するが、張出部３９には種々の文字、図形、記号を表わすように凹凸模様が設けられている。
【００３６】
この銘板３０としては、厚さが０．２〜０．４ｍｍ特に約０．３ｍｍ程度の金属材よりなるものが好ましい。
【００３７】
この銘板３０は、メッキ技術を応用した成型方法である電鋳法、又はプレス成形により製造したものであることが好ましい。
【００３８】
電鋳法により銘板３０を製造する場合の金属としては、銅、ニッケル、クロム、亜鉛、金、銀、ロジウム、ニッケルリン合金などが好適であるが、特に、ニッケルが好適である。この電鋳法により銘板３０を製造する場合においては、これらの金属よりなる基材の表面に対して、基材に用いた金属よりも硬い金属によるメッキ処理を行うことが好ましく、例えば、ニッケルよりなる基材の表面に対して、クロムによるメッキ処理を行うことが好ましい。このメッキ処理を行うことにより、銘板３０が傷付きにくいものとなる。また、基材に対して部分的にメッキ処理を施すことにより、基材の色合いを変えてもよい。
【００３９】
プレス成型により銘板３０を製造する場合の金属としては、延性があるアルミニウム、アルミニウム合金、チタニウム、チタニウム合金や、錆びにくいステンレス鋼が好適である。アルミニウム、アルミニウム合金、チタニウム、チタニウム合金に対しては、陽極酸化処理を施すことが好ましい。
【００４０】
この銘板３０の凹所に対し粘弾性体２０を嵌合させ、張出部３９及び粘弾性体２０を、両面テープなどの粘着剤又は接着剤によってフェースプレート部１１の背面に貼着する。
【００４１】
このゴルフクラブヘッド１のホゼル部１２にシャフトを差し込み、接着剤によって固定することにより、ゴルフクラブ（アイアン）とされる。
【００４２】
このゴルフクラブヘッド１にあっては、フェースプレート部１１の背面に粘弾性体２０が付着され、さらにこの粘弾性体２０を覆うように銘板３０が設けられている。この銘板３０は、粘弾性体の周囲に張り出す張出部３９を備えており、この張出部３９がフェースプレート部１１の背面に付着されている。従って、粘弾性体２０はこの銘板３０によって密閉状に覆われており、大気に露呈していない。このため、粘弾性体２０に水分が掛かったり、紫外線が直射することがなく、粘弾性体２０の耐久性及び粘弾性体２０のフェースプレート部１１の背面への付着耐久性が良好である。
【００４３】
この実施の形態では、銘板３０に設けた凹所に粘弾性体２０がぴったりと嵌合しており、粘弾性体がフェースプレート部背面に対ししっかりと保持されたものとなっている。また、張出部３９を凹所の全周にわたって設けてあるので、粘弾性体２０をフェースプレート部１１に対ししっかりと密着保持させることができる。
【００４４】
この実施の形態では、張出部の一部を構成するヒール側張出部３９ｈ及びトウ側張出部３９ｔをヒール側及びトウ側に延在させているので、フェースプレート部１１のヒール側又はトウ側でボールをヒットした場合の振動が粘弾性体２０に伝播し易く、振動吸収効果が高い。
【００４５】
この粘弾性体２０は、凸条２１，２３，２５，２７の部分が肉厚部となっており、凹条２２，２４，２６及び凹部２８の部分が肉薄部となっているので、種々の周波数の振動を効果的に吸収することができる。また、外周部を肉厚の凸条２１としたことにより、銘板３０の張出部３９を介して粘弾性体２０の周囲から伝播してくる振動が凸条２１の肉厚部で効果的に吸収される。
【００４６】
上記実施の形態は本発明の一例であり、本発明は図示以外の態様とされてもよい。例えば、粘弾性体２０及び銘板３０の形状は図示以外とされてもよい。
【符号の説明】
【００４７】
１  ゴルフクラブヘッド
２  シャフト
１０  ゴルフクラブヘッド本体
１１  フェースプレート部
１２  ホゼル部
１３  ソール部
１４  キャビティ部
１５  トウ側凸部
１６  トップ側凸部
１７  ヒール側凸部
２０  粘弾性体
２１，２３，２５，２７  凸条
２２，２４，２６  凹条
２８  凹部
３０  銘板
３１，３３，３５，３７  凹条
３２，３４，３６  凸条
３８  凸部
３９  張出部
３９ｔ  トウ側張出部
３９ｈ  ヒール側張出部
４０，４１  凹穴
４２，４３  振動吸収材
４４，４５  ウェイト材
【図１】
0005434346.tif 000002
【図２】
0005434346.tif 000003
【図３】
0005434346.tif 000004
【図４】
0005434346.tif 000005
【図５】
0005434346.tif 000006
【図６】
0005434346.tif 000007